(57)【特許請求の範囲】
【請求項１】
無線通信端末に、
自動改札機によって生成される該自動改札機に対する入場記録を受信し、
受信した前記入場記録を記憶部に記憶し、
振替輸送切符情報を受信し、
前記振替輸送切符情報の受信に応じて、前記自動改札機に係る退場記録を生成し、
生成された前記退場記録を前記記憶部に記憶する、
処理を実行させるための自動改札情報処理プログラム。
【請求項２】
前記記憶部への前記退場記録の記憶は、前記記憶部に記憶された前記入場記録のうち対応する退場記録の無い入場記録に対応する退場記録についてのものである、
ことを特徴とする請求項１記載の自動改札情報処理プログラム。
【請求項３】
前記記憶部は、さらに、前記入場記録と対応付けて時間に関する情報を記憶し、
前記記憶部に記憶されている入場記録のうち、対応づけられている時間に関する情報が最後である入場記録に対して、前記退場記録を生成する、
ことを特徴とする請求項１又は２記載の自動改札情報処理プログラム。
【請求項４】
前記退場記録が前記振替輸送切符情報の受信に応じたものであることを示す情報を生成し、
生成された前記退場記録に関連付けて、前記振替輸送切符情報の受信に応じたものであることを示す情報を前記記憶部に記録することを特徴とする請求項１乃至３いずれか一項記載の自動改札情報処理プログラム。
【請求項５】
前記振替輸送切符情報は、ローカルＴＶ放送によって配信されることを特徴とする請求項１乃至４いずれか一項記載の自動改札情報処理プログラム。
【請求項６】
無線通信端末であって、
自動改札機によって生成される該自動改札機に対する入場記録及び退場記録を受信する通信手段と、
振替輸送切符情報を受信する受信手段と、
前記受信手段による前記振替輸送切符情報の受信に応じて、前記自動改札機に係る退場記録を生成する生成手段と、
前記通信手段により受信した前記入場記録及び退場記録を記録するとともに、前記生成手段により生成された退場記録を記録する記憶手段と、
を有することを特徴とする無線通信端末。
【請求項７】
無線通信端末が実行する自動改札情報処理方法であって、
自動改札機によって生成される該自動改札機に対する入場記録を受信し、
受信した前記入場記録を記憶部に記憶し、
振替輸送切符情報を受信し、
前記振替輸送切符情報の受信に応じて、前記自動改札機に係る退場記録を生成し、
生成された前記退場記録を前記記憶部に記憶する、
処理を含むことを特徴とする自動改札情報処理方法。
【請求項８】
第１の無線通信手段を用いた自動改札機との間の通信により、記憶手段に入場記録又は退場記録を記憶し、
前記第１の無線通信手段とは異なる第２の無線通信手段を用いた振替輸送切符情報の受信により、前記記憶手段に記憶された前記第１の無線通信手段によって記憶された入場記録に対応する未記録の退場記録を記憶する、
処理を実行することを特徴とする無線通信端末。
【発明の詳細な説明】
【技術分野】
【０００１】
本発明は、自動改札情報処理プログラム、無線通信端末、及び自動改札情報処理方法に関し、特に自動改札システムの乗車券として機能する無線通信端末に実行さえるための自動改札情報処理プログラム、無線通信端末、及び自動改札情報処理方法に関する。
【背景技術】
【０００２】
電車事故により路線が利用できない場合、利用者は振替輸送切符を受け取り、当該振替輸送切符によって他の路線を利用することができる。振替輸送切符は紙によって発行されるため、駅の窓口は非常に混雑し、長蛇の列ができる。
【０００３】
そこで、従来、電子的に振替輸送切符が発行される技術が提案されている（例えば、特許文献１、特許文献２）。
【特許文献１】特開２００４−３２６４６６号公報
【特許文献２】特開２００４−１８５２９３号公報
【発明の開示】
【発明が解決しようとする課題】
【０００４】
しかしながら、例えば、ＪＲ東日本（東日本旅客鉄道株式会社）によって発行されているＳＵＩＣＡ（登録商標）のようなＩＣカード型の乗車券の場合、退場記録がなされていないと、次の改札入場時にエラーが検出されてしまう。そうすると、従来技術によって、改札入場後に振替輸送切符を電子的に入手し、自動改札機を通過せずに退場した場合、次回の入場時には、駅の窓口等で退場記録を行ってもらわないと、自動改札をスムーズに通過できないという問題がある。
【０００５】
本発明は、上記の点に鑑みてなされたものであって、振替輸送切符により自動改札を通過しないで退場した場合に次回の自動改札の入場をスムーズに行うことのできる自動改札情報処理プログラム、無線通信端末、及び自動改札情報処理方法の提供を目的とする。
【課題を解決するための手段】
【０００６】
そこで上記課題を解決するため、本発明は、自動改札システムの乗車券として機能する無線通信端末に、無線通信によって振替輸送切符情報を受信する振替輸送切符受信手順と、前記振替輸送切符情報の受信に応じて前記自動改札システムに係る退場記録を生成する退場記録生成手順とを実行させることを特徴とする。
【０００７】
このような自動改札情報処理プログラムでは、振替輸送切符により自動改札を通過しないで退場した場合に次回の自動改札の入場をスムーズに行うことができる。
【発明の効果】
【０００８】
本発明によれば、振替輸送切符により自動改札を通過しないで退場した場合に次回の自動改札の入場をスムーズに行うことのできる自動改札情報処理プログラム、無線通信端末、及び自動改札情報処理方法を提供することができる。
【発明を実施するための最良の形態】
【０００９】
以下、図面に基づいて本発明の実施の形態を説明する。本実施の形態では、無線通信端末の具体例として携帯電話を採用し、無線通信の具体例としてローカルＴＶ（テレビ）放送を採用した例を説明する。
【００１０】
図１は、本発明の実施の形態における振替輸送切符発行システムの構成例を示す図である。図１において、振替輸送切符発行システム１は、携帯電話１０、ローカルＴＶ送信機２０、ローカルＴＶ放送サーバ３０、及び振替輸送切符データ４０等より構成されている。
【００１１】
振替輸送切符データ４０は、ローカルＴＶ放送によって発行される電子的な振替輸送切符である、振替輸送切符データ４０のデータ形式は、ローカルＴＶ放送によって放送可能なものであれば所定のものに限定されず、例えば、ＢＭＬ（Broadcast Markup Language）形式であってもよい。
【００１２】
ローカルＴＶ放送サーバ３０は、振替輸送切符データ４０の管理を行い、振替輸送切符データ４０をローカルＴＶ送信機２０に供給するコンピュータである。ローカルＴＶ送信機２０は、振替輸送切符データ４０をローカルＴＶ放送波として出力する送信機である。
【００１３】
携帯電話１０は、ＴＶ放送の受信機能が搭載されている携帯電話であり、ローカルＴＶ送信機２０より出力されるローカルＴＶ放送を受信し、視聴させることができる。また、携帯電話１０は、自動改札システムの電子的な乗車券（定期券）としても機能する。
【００１４】
なお、ローカルＴＶ放送とは、鉄道の駅等に設置された送信機より局所的に出力されるテレビ放送をいう。振替輸送切符データ４０の放送を考慮すれば、ローカルＴＶ放送は、デジタル放送であることが好ましい。
【００１５】
ローカルＴＶ放送サーバ３０及び振替輸送切符データ４０は、ローカルＴＶ送信機２０等と共に駅に設置されていてもよいし、振替輸送切符データ４０の管理が一括して所定の企業に委託されているのであれば、当該企業において管理されていてもよい。
【００１６】
次に、携帯電話１０の詳細について説明する。図２は、本発明の実施の形態における携帯電話のハードウェア構成例を示す図である。図２において、携帯電話１０は、ＲＯＭ１０１、不揮発性ＲＡＭ１０２、ＲＡＭ１０３、ＣＰＵ１０４、通信インタフェース１０５、表示装置１０６、入力装置１０７、ＴＶチューナ１０８、及び無線ＩＣチップ１０９等を有するように構成される。
【００１７】
携帯電話１０に後述される処理を実行させるプログラムは、ＲＯＭ１０１又は不揮発性ＲＡＭ１０２にインストールされる。例えば、当該プログラムが、携帯電話１０の出荷時に予めインストールされる場合はＲＯＭ１０１に格納されるのが一般的である。また、当該プログラムが通信インタフェース装置１０５又はＴＶチューナ１０８を介した無線通信によってダウンロードされて利用される場合は、不揮発性ＲＡＭ１０２に格納される。なお、ＲＯＭ１０１や不揮発性ＲＡＭ１０２には、当該プログラム以外に、当該プログラムが用いる各種データも格納され得る。ＲＡＭ１０３は、プログラムの起動指示があった場合に、ＲＯＭ１０１又は不揮発性ＲＡＭ１０２から読み出されたプログラム等を格納する。ＣＰＵ１０４は、ＲＡＭ１０３に格納されたプログラムに従って携帯電話１０に係る後述される機能を実行する。通信インタフェース装置１０５は、無線通信を行うためのアンテナや無線通信モジュール等が含まれる。表示装置１０６は、ＴＶチューナ１０８によって受信されるＴＶ放送の表示や、プログラムによって出力される各種情報を表示させる。入力装置１０７は、ボタン等によって構成され、ユーザからの入力指示を受け付ける。無線ＩＣチップ１０９は、自動改札機に設置されたリーダ／ライタとの無線通信により自動改札処理を行うための非接触型のＩＣチップであり、例えば、ＲＦＩＤ（Radio Frequency Identification）タグ等が好適である。
【００１８】
図３は、本発明の実施の形態における携帯電話の機能構成例を示す図である。図３において、携帯電話１０は、振替輸送切符受信部１１、振替輸送切符表示部１２、退場処理部１３、及び改札情報１４等より構成される。
【００１９】
振替輸送切符受信部１１は、ローカルＴＶ放送によって発行される振替輸送切符データ４０を、ＴＶチューナ１０８を介して受信するための処理を実行する。振替輸送切符表示部１２は、受信された振替輸送切符データ４０を表示装置１０６に表示させる。退場処理部１３は、振替輸送切符データ４０の受信に応じて退場処理を強制的に行う。改札情報１４は、自動改札機の通過時に、自動改札機に設置されたリーダ／ライタと携帯電話１０の無線ＩＣチップ１０９との通信を介して、自動改札システムによって生成される改札の入場記録及び退場記録である。改札情報１４は、例えば、無線ＩＣチップ１０９のメモリ内に記録される。但し、不揮発性ＲＡＭ１０２に記録されてもよい。
【００２０】
図４は、改札情報の構成例を示す図である。図４の改札情報１４において、入場場所及び入場時刻は入場記録に相当する。退場場所及び退場時刻は退場記録に相当する。
【００２１】
本実施の形態において、自動改札システムは、対応する退場記録のない入場記録が存在する場合（すなわち、入場記録が連続する場合）、自動改札の入場を許可しないことを前提とする。なお、自動改札システムとは、自動改札の入退場の管理等を行うコンピュータシステムをいい、鉄道会社等によって運用される。
【００２２】
以下、携帯電話１０の処理手順について説明する。図５は、振替輸送切符データ受信時の携帯電話による処理手順を説明するための図である。図５では、電車事故の発生により路線が利用できず、ローカルＴＶ放送によって振替輸送切符を発行中であることが駅の構内で通知（放送）されている状況を想定する。
【００２３】
振替輸送切符を発行中である旨の通知に応じ、ユーザが、携帯電話１０のＴＶチューナ１０８の受信チャンネルをローカル放送のチャンネルに合わせると、携帯電話１０は、ＴＶチューナ１０８によってローカル放送を受信する（Ｓ１０１）。なお、このタイミングで、図２の機能を実現するプログラムを、ローカル放送によって受信するようにしてもよい。そうすることにより、予め当該プログラムがインストールされていない携帯電話１０であっても、以降の処理を実行することができる。
【００２４】
続いて、振替輸送切符受信部１１は、ローカル放送によって配信されている振替輸送切符データ４０を受信し（１０２）、不揮発性ＲＡＭ１０２に保存（記録）する（Ｓ１０３）。続いて、退場処理部１３は、改札情報１４をＲＡＭ１０３上に読み込み（Ｓ１０４）、最後の入場記録に対して退場記録が有るか否かを確認する（Ｓ１０５）。退場記録が無い場合、すなわち、ユーザが改札の入場後に振替輸送切符データ４０を受信した場合（Ｓ１０５でＹｅｓ）、退場処理部１３は、当該入場記録に対する退場記録を改札情報１４に生成する（Ｓ１０６）。
【００２５】
図６は、退場記録の生成例を示す図である。図６では、改札情報１４の２番目のレコードについて、退場記録が生成された例が示されている。退場場所は、振替輸送切符データ４０を受信した駅であってもよいし、入場場所と同じ駅にしてもよい。当該携帯電話が定期券として機能するのであれば、その区間内のいずれかの駅としても良い。また、退場時刻は、振替輸送切符データ４０を受信した時刻にすればよい。なお、退場記録と共に、付加情報として図中の備考欄のように振替輸送切符データ４０の受信に応じた（すなわち、自動改札機の通過によるものではない）退場記録であることを示す情報を当該退場記録と関連付けて記録するようにしてもよい。
【００２６】
一方、退場記録が有る場合、すなわち、ユーザが改札の入場前又は退場後に振替輸送切符データ４０を受信した場合（Ｓ１０５でＮｏ）、退場記録の生成は行わない。
【００２７】
その後、ユーザは、不揮発性ＲＡＭ１０２に記録された振替輸送切符データ４０を、振替輸送切符表示部１２によって表示装置１０６に表示させ、他の路線の駅員に提示することで当該他の路線を利用することができる。また、他の路線の自動改札システムが、振替輸送切符データ４０によって通過可能であれば、携帯電話１０を自動改札に翳せばよい。
【００２８】
上述したように、本実施の形態における携帯電話１０によれば、振替切符受信時に、既に改札を入場している場合、その入場記録に対応する退場記録が生成される。したがって、次回の改札入場時に、自動改札機によって遮断されることなくスムーズに入場することができる。
【００２９】
なお、本実施の形態では、無線通信としてローカルＴＶ放送を例として説明したが、例えば、無線ＬＡＮ（Local Area Network）、又はbluetooth等、公知の無線技術を利用してもよい。但し、所定の範囲内にいる多数の人に一度に同じ情報を送信することに鑑みれば、ローカル放送を利用するのが好適である。
【００３０】
また、付加情報として、振替輸送切符の受信による退場記録であることを示す情報を記録する場合、自動改札システムが、当該付加情報に基づいて次の入場を許可するようにしてもよい。この場合、少なくとも付加情報があれば、携帯電話１０による退場記録の生成は必ずしも必要ではない。例えば、次の入場時において、当該付加情報の検出に応じて、自動改札機が前回の退場記録を生成するようにしてもよい。
【００３１】
以上、本発明の実施例について詳述したが、本発明は斯かる特定の実施形態に限定されるものではなく、特許請求の範囲に記載された本発明の要旨の範囲内において、種々の変形・変更が可能である。
【００３２】
以上の説明に関し、更に以下の項を開示する。
（付記１）
自動改札システムの乗車券として機能する無線通信端末に、
無線通信によって振替輸送切符情報を受信する振替輸送切符受信手順と、
前記振替輸送切符情報の受信に応じて前記自動改札システムに係る退場記録を生成する退場記録生成手順とを実行させるための自動改札情報処理プログラム。
（付記２）
前記退場記録生成手順は、前記自動改札システムに係る入場記録のうち対応する退場記録の無い入場記録に対して、前記退場記録を生成することを特徴とする付記１記載の自動改札情報処理プログラム。
（付記３）
前記退場記録生成手順は、前記自動改札システムに係る最後の入場記録に対して、前記退場記録を生成することを特徴とする付記１又は２記載の自動改札情報処理プログラム。
（付記４）
前記退場記録生成手順は、前記退場記録が前記振替輸送切符情報の受信に応じたものであることを示す情報を当該退場記録に関連付けて記録することを特徴とする付記１乃至３いずれか一項記載の自動改札情報処理プログラム。
（付記５）
前記振替輸送切符受信手順は、ローカルＴＶ放送によって配信される前記振替輸送切符情報を受信することを特徴とする付記１乃至４いずれか一項記載の自動改札情報処理プログラム。
（付記６）
自動改札システムの乗車券として機能する無線通信端末であって、
無線通信によって振替輸送切符情報を受信する振替輸送切符受信手段と、
前記振替輸送切符情報の受信に応じて前記自動改札システムに係る退場記録を生成する退場記録生成手段とを有することを特徴とする無線通信端末。
（付記７）
前記退場記録生成手段は、前記自動改札システムに係る入場記録のうち対応する退場記録の無い入場記録に対して、前記退場記録を生成することを特徴とする付記６記載の無線通信端末。
（付記８）
前記退場記録生成手段は、前記自動改札システムに係る最後の入場記録に対して、前記退場記録を生成することを特徴とする付記６又は７記載の無線通信端末。
（付記９）
前記退場記録生成手段は、前記退場記録が前記振替輸送切符情報の受信に応じたものであることを示す情報を当該退場記録に関連付けて記録することを特徴とする付記６乃至８いずれか一項記載の無線通信端末。
（付記１０）
前記振替輸送切符受信手段は、ローカルＴＶ放送によって配信される前記振替輸送切符情報を受信することを特徴とする付記６乃至９いずれか一項記載の無線通信端末。
（付記１１）
自動改札システムの乗車券として機能する無線通信端末が実行する自動改札情報処理方法であって、
無線通信によって振替輸送切符情報を受信する振替輸送切符受信手順と、
前記振替輸送切符情報の受信に応じて前記自動改札システムに係る退場記録を生成する退場記録生成手順とを有することを特徴とする自動改札情報処理方法。
（付記１２）
前記退場記録生成手順は、前記自動改札システムに係る入場記録のうち対応する退場記録の無い入場記録に対して、前記退場記録を生成することを特徴とする付記１１記載の自動改札情報処理方法。
（付記１３）
前記退場記録生成手順は、前記自動改札システムに係る最後の入場記録に対して、前記退場記録を生成することを特徴とする付記１１又は１２記載の自動改札情報処理方法。
（付記１４）
前記退場記録生成手順は、前記退場記録が前記振替輸送切符情報の受信に応じたものであることを示す情報を当該退場記録に関連付けて記録することを特徴とする付記１１乃至１３いずれか一項記載の自動改札情報処理方法。
（付記１５）
前記振替輸送切符受信手順は、ローカルＴＶ放送によって配信される前記振替輸送切符情報を受信することを特徴とする付記１１乃至１４いずれか一項記載の自動改札情報処理方法。
【図面の簡単な説明】
【００３３】
【図１】本発明の実施の形態における振替輸送切符発行システムの構成例を示す図である。
【図２】本発明の実施の形態における携帯電話のハードウェア構成例を示す図である。
【図３】本発明の実施の形態における携帯電話の機能構成例を示す図である。
【図４】改札情報の構成例を示す図である。
【図５】振替輸送切符データ受信時の携帯電話による処理手順を説明するための図である。
【図６】退場記録の生成例を示す図である。
【符号の説明】
【００３４】
１        振替輸送切符発行システム
１０      携帯電話
１１      振替輸送切符受信部
１２      振替輸送切符表示部
１３      退場処理部
１４      改札情報
２０      ローカルＴＶ送信機
３０      ローカルＴＶ放送サーバ
４０      振替輸送切符データ
１０１    ＲＯＭ
１０２    不揮発性ＲＡＭ
１０３    ＲＡＭ
１０４    ＣＰＵ
１０５    通信インタフェース
１０６    表示装置
１０７    入力装置
１０８    ＴＶチューナ
１０９    無線ＩＣチップ
【図１】
0005386784.tif 000002
【図２】
0005386784.tif 000003
【図３】
0005386784.tif 000004
【図４】
0005386784.tif 000005
【図５】
0005386784.tif 000006
【図６】
0005386784.tif 000007